(57)【要約】【課題】画像形成処理用の画像データを利用したものでありながら、拡大映像としてプロジェクタ投影する際の映像の粗さを解消することができる画像形成装置を提供する。【解決手段】画像データに基づいて画像形成処理する画像形成部２６と、ＯＨＰモードの指定があった場合に画像データを利用して画像形成部２６で画像形成処理する際の解像度よりも高解像度のＯＨＰ用画像データを生成するＯＨＰ用画像データ生成部２７と、ＯＨＰ用画像データ生成部２７で生成されたＯＨＰ用画像データに基づく拡大映像を投影する投影部３１とを備えている。【選択図】      図２
2008152209.tif 000002
【特許請求の範囲】
【請求項１】
画像データに基づいて画像形成処理する画像形成部と、ＯＨＰモードの指定があった場合に前記画像データを利用して前記画像形成部で画像形成処理する際の解像度よりも高解像度のＯＨＰ用画像データを生成するＯＨＰ用画像データ生成部とを備えていることを特徴とする画像形成装置。
【請求項２】
前記ＯＨＰ用画像データ生成部で生成されたＯＨＰ用画像データに基づく拡大映像を投影する投影部を備えていることを特徴とする請求項１に記載の画像形成装置。
【請求項３】
前記ＯＨＰ用画像データ生成部で生成された前記ＯＨＰ用画像データを頁単位で記憶する記憶部と、前記投影部から投影する前記ＯＨＰ用画像データを前記記憶部から呼出す操作部とを備えていることを特徴とする請求項１又は請求項２に記載の画像形成装置。
【請求項４】
前記画像形成部と前記ＯＨＰ用画像データ生成部とを有する画像形成装置本体と、前記投影部を有するプロジェクタ本体とを備え、前記画像形成装置本体と前記プロジェクタ本体とがネットワーク接続されていることを特徴とする請求項２に記載の画像形成装置。
【発明の詳細な説明】
【技術分野】
【０００１】
本発明は、オーバーヘッドプロジェクタ等の画像データを投影することができる画像形成装置に関する。
【背景技術】
【０００２】
従来から、オーバーヘッドプロジェクタ（以下、「ＯＨＰ」と称する。）として、原稿載置台に載置された透明シート上に形成された画像を、その裏面側から照明光を投影して対物レンズによって拡大した画像を壁面やスクリーン等に投影する技術が周知である。
【０００３】
また、このようなＯＨＰ機能を複合機に具備させ、スキャナで読み取った画像データやパーソナルコンピュータから出力された画像データに基づいて配布資料用として画像形成処理（印刷処理）を可能とすると共に、同じ画像データをスクリーン等に投影可能としたものも知られている（例えば、特許文献１，２参照）。
【０００４】
この際、スクリーン等に投影するための画像データは、所定の保存形式（例えば、ＪＰＧやＪＩＦ形式等）で保存することができ、複数頁分の画像データを順序立てして呼び出し・投影することによって会議等に利用している。
【特許文献１】特開２００６−０１３５９７号公報
【特許文献２】特開平０６−２２２６５３号公報
【発明の開示】
【発明が解決しようとする課題】
【０００５】
ところが、上述した画像形成装置にプロジェクタ機能を搭載したものにあっては、画像形成装置内のドキュメントボックス等に画像データを所定の保存形式で保存し、その画像データをプロジェクタ機能を利用して投影すると共に必要に応じて参加者用配布資料として印刷処理することが可能となっているものの、画像形成処理用の画像データとプロジェクタ投影用の画像データとが同一であることから、プロジェクタ投影された映像は、通常の印刷処理等の画像よりも非常に大きく、画像によっては非常に粗い映像として投影されてしまうという問題が生じていた。
【０００６】
そこで、本発明は、上記事情を考慮し、画像形成処理用の画像データを利用したものでありながら、拡大映像としてプロジェクタ投影する際の映像の粗さを解消することができる画像形成装置を提供することを目的とする。
【課題を解決するための手段】
【０００７】
本発明の画像形成装置は、画像データに基づいて画像形成処理する画像形成部と、ＯＨＰモードの指定があった場合に前記画像データを利用して前記画像形成部で画像形成処理する際の解像度よりも高解像度のＯＨＰ用画像データを生成するＯＨＰ用画像データ生成部とを備えていることを特徴とする。
【０００８】
この際、前記ＯＨＰ用画像データ生成部で生成されたＯＨＰ用画像データに基づく拡大映像を投影する投影部を備えていることが好ましい。
【０００９】
また、前記ＯＨＰ用画像データ生成部で生成された前記ＯＨＰ用画像データを頁単位で記憶する記憶部と、前記投影部から投影する前記ＯＨＰ用画像データを前記記憶部から呼出す操作部とを備えていることが好ましい。
【００１０】
さらに、前記画像形成部と前記ＯＨＰ用画像データ生成部とを有する画像形成装置本体と、前記投影部を有するプロジェクタ本体とを備え、前記画像形成装置本体と前記プロジェクタ本体とがネットワーク接続されていることが好ましい。
【００１１】
この際、記憶部は画像形成装置本体とプロジェクタ本体とで着脱可能に共用される一つの記憶媒体でも良い。また、操作部は画像形成装置本体とプロジェクタ本体とで独立して設けられたスイッチ等でも良いし、画像形成装置本体とプロジェクタ本体とで共用するリモートコントロール装置でも良い。
【発明の効果】
【００１２】
本発明の画像形成装置は、画像形成処理用の画像データを利用したものでありながら、拡大映像としてプロジェクタ投影する際の映像の粗さを解消することができる。
【発明を実施するための最良の形態】
【００１３】
次に、本発明の一実施形態に係る画像形成装置について、図面を参照して説明する。
【００１４】
図１は本発明の一実施形態に係る画像形成装置の一例の説明図、図２は本発明の一実施形態に係る画像形成装置の要部のブロック構成図である。
【００１５】
図１に示すように、本発明の一実施形態に係る画像形成装置は、シリアルケーブルやＵＳＢケーブル、或いは、ネットワーク回線（無線・有線を問わない）等の通信手段を通じてパーソナルコンピュータ（図では、ノートブック型）１と接続可能な画像形成装置本体２と、シリアルケーブルやＵＳＢケーブル、或いは、ネットワーク回線（無線・有線を問わない）等の通信手段を通じて画像形成装置本体２と接続可能なプロジェクタ本体３とを備えている。尚、プロジェクタ本体３は、画像形成装置本体２と一体でも良い。
【００１６】
画像形成装置本体２は、パーソナルコンピュータ１にインストールされたソフトウエア上で作成された文書や画像等を、パーソナルコンピュータ１から出力された印刷データを利用して画像形成処理することができる。また、画像形成装置本体２は、図２に示すように、パーソナルコンピュータ１から出力された印刷データの受信等の画像形成装置本体２とのデータ送受信のためのインターフェース２１と、複写機能・ファクシミリ機能・スキャナ機能等の際に原稿を自動的に送り出す自動原稿送り装置（以下、「ＡＤＦ」と称する）２２（図１にのみ図示）で送り出された原稿の画像を読み取るスキャナ部２３と、画像形成装置本体２の機能や画像形成処理のための各種設定（部数や拡大・縮小等）を行うための操作部２４と、これらインターフェース２１を経由した印刷データやスキャナ部２３で読み取った画像データ並びに操作部２４で指定された操作信号等を処理する制御部２５と、パーソナルコンピュータ１から出力された印刷データに含まれる画像データやスキャナ部２３で読み取った画像データに基づいて画像形成処理を行う画像形成部（各種駆動系等を含む）２６と、パーソナルコンピュータ１から出力された印刷データに含まれる画像データやスキャナ部２３で読み取った画像データに基づいてＯＨＰ用画像データを生成するＯＨＰ用画像データ生成部２７と、ＯＨＰ用画像データ生成部２７で生成されたＯＨＰ用画像データを記憶するＲＡＭやハードディスク等のメモリ２８とを備えている。
【００１７】
尚、パーソナルコンピュータ１から出力された印刷データには、画像形成部２６によって画像形成処理するための画像データの他、拡大・縮小する旨や部数指定等の画像形成処理に係わる各種データが含まれている。
【００１８】
ＯＨＰ用画像データ生成部２７は、例えば、印刷データにＯＨＰモードが指定された場合や操作部２４でＯＨＰモードが指定された際、パーソナルコンピュータ１から出力された印刷データに含まれる画像データやスキャナ部２３で読み取った画像データを利用し、例えば、これらの画像データに基づいて画像形成部２６で画像形成処理する際の解像度が６００ｄｐｉであった場合、その解像度よりも高解像度（例えば、１２００ｄｐｉ）のＯＨＰ用画像データを生成する。また、ＯＨＰ用画像データ生成部２７は、生成したＯＨＰ用画像データを、画像データの頁順（印刷データで指定されている場合やＡＤＦ２２の読み取り順等）に記憶する。この際、データの保存形式（ＢＭＰ，ＧＩＦ，ＪＰＧ，ＴＩＦ等）を操作部２４で指定することも可能である。さらに、ＯＨＰ用画像データ生成部２７は、生成したＯＨＰ用画像データ又はメモリ２８に保存したＯＨＰ用画像データをプロジェクタ本体３の投影部３１に出力する。
【００１９】
尚、ＯＨＰ用画像データ用の解像度は、段階的に操作部２４で指定することもできるし、モード選択で一元的に指定されるようにしても良い。
【００２０】
プロジェクタ本体３は、投影部３１に受信したＯＨＰ用画像データに基づく映像を対物レンズからスクリーン等に投影する。
【００２１】
この際、対物レンズの形状等に起因して投影される映像は横向きの樽型等に歪むため、プロジェクタ本体３からスクリーンまでのおよその投影距離を操作部２４で入力することにより、その投影距離に応じた歪を補正したＯＨＰ用画像データをＯＨＰ用画像データ生成部２７で生成して良い。
【００２２】
また、プロジェクタ本体３に操作部２４とは別の操作部（図示せず）を設け、上述した歪補正機能をプロジェクタ本体３に設けても良い。さらに、プロジェクタ本体３にメモリ２８を設けたり、メモリ２８とは別のカード型やスティック型のメモリにＯＨＰ用画像データ生成部２７で生成したＯＨＰ用画像データを記憶させ、そのカード型やスティック型のメモリの読み取りをプロジェクタ本体３で可能としても良い。
【００２３】
尚、メモリ２８に替えてカード型やスティック型のメモリを画像形成装置本体２とプロジェクタ本体３とで共用しても良い。また、操作部２４は画像形成装置本体２の操作に係わるもの専用とし、プロジェクタ本体３を用いてＯＨＰ用画像データ生成部２７で生成したＯＨＰ用画像データに基づいてスクリーン等に映像を投影する際には、その投影に係わる操作を画像形成装置本体２とプロジェクタ本体３とで共用するリモートコントロール装置（図示せず）によって行っても良い。尚、このリモートコントロール装置は、上述したカード型やスティック型のメモリをプロジェクタ本体３に装着することによって、プロジェクタ本体３を可搬式とすることも可能である。
【００２４】
上記の構成において、ＡＤＦ２１に原稿がセットされ、操作部２４によりＯＨＰモードが指定された場合、ＡＤＦ２１による自動原稿送り時にスキャナ部２３で読み取った原稿画像の画像データをＯＨＰ用画像データ生成部２７に出力し、このＯＨＰ用画像データ生成部２７にて画像を解析して高解像度のＯＨＰ用画像データを生成する。
【００２５】
この際、操作部２４によって画像形成処理が併用されていた場合、読み取った原稿画像の画像データに基づいて必要部数の複写稿を画像形成部２６にて画像形成処理（印刷処理）することができる。
【００２６】
また、このＯＨＰ用画像データ生成部２７で生成されたＯＨＰ用画像データは、直接ＯＨＰフィルムに画像形成処理することも可能である。
【００２７】
さらに、ＯＨＰ用画像データ生成部２７で生成されたＯＨＰ用画像データは、メモリ２８に記憶される。尚、画像形成部２６によって画像形成処理するための画像データは、メモリ２８又は図示しないハードディスク等に一時的に記憶され、画像形成処理に供される。
【００２８】
一方、パーソナルコンピュータ１２から出力された印刷データは、インターフェース２１を経由して制御部２５にてデータ解析され、その印刷データに含まれる画像データに基づいて画像形成部２６によって画像形成処理に供される他、その印刷データにＯＨＰモード指定がなされていた場合には、ＯＨＰ用画像データ生成部２７にて画像を解析して高解像度のＯＨＰ用画像データを生成する。
【００２９】
これら、ＯＨＰ用画像データ生成部２７によって生成されたＯＨＰ用画像データは、必要に応じてリアルタイムで投影部３１に出力されてスクリーン等に映像を投影しても良いし、一旦メモリ２８に記憶して操作部２４（又はパーソナルコンピュータ１）の操作によって順次ページ切り替えされつつスクリーン等に投影することができる。
【００３０】
この際、スクリーン等に投影される映像は、高解像度のＯＨＰ用画像データに基づいたものであるため、より鮮明な映像として投影することができる。
【００３１】
このように、本発明の画像形成装置によれば、プロジェクタ機能に持つ画像形成装置において、プロジェクタ投影する映像となる画像データを画像形成装置本体で取り込んだ（読み込んだ）際、高解像度のＯＨＰ用画像データを生成することにより、投影部３１から投影された映像が大型表示されても粗い画像になることを防止することができる。
【図面の簡単な説明】
【００３２】
【図１】本発明の一実施形態に係る画像形成装置の一例の説明図である。
【図２】本発明の一実施形態に係る画像形成装置の要部のブロック構成図である。
【符号の説明】
【００３３】
２…画像形成装置本体
２３…スキャナ部
２４…操作部
２５…制御部
２６…画像形成部
２７…ＯＨＰ用画像データ生成部
２８…メモリ
３１…投影部
【図１】
2008152209.tif 000003
【図２】
2008152209.tif 000004